(57)【要約】【課題】  本発明は、狭い配管スペースにも施工できるように、小さい半径であっても容易に曲げることができ、しかもキンクの発生がない安価な給水給湯用ホースを提供することを目的とするものである。【解決手段】  給水又は給湯用の配管に用いられるホースであって、弾性チューブからなる内層１と、内層１の上側を織物又は編物状の帯状繊維にて筒状に覆って内側補強層２とし、この上側を編み組みされた金属硬線からなる外側補強層４を形成した給水給湯用ホース。【選択図】図１
2006105162.tif 000002
【特許請求の範囲】
【請求項１】
給水又は給湯用の配管に用いられるホースであって、弾性チューブからなる内層１と、内層１の上側を帯状繊維にて筒状に覆って内側補強層２とし、この上側を編み組みされた金属硬線からなる外側補強層４を形成したことを特徴とする給水給湯用ホース。
【請求項２】
前記内側補強層２である帯状繊維は織物又は編物である請求項１記載の給水給湯用ホース。
【請求項３】
前記内層１の上側を帯状繊維にて巻き付けて内側補強層２とした請求項１又は２記載の給水給湯用ホース。
【請求項４】
前記内側補強層２を構成する帯状繊維がポリエステル又はナイロンである請求項１乃至３いずれか１項記載の給水給湯用ホース。
【発明の詳細な説明】
【技術分野】
【０００１】
本発明は、台所や洗面台の水栓金具やトイレ貯水タンク、その他の給水又は給湯用の配管に使用されるホースに関するものであり、特に、小さい半径であっても容易に曲げることができ、キンクの発生もない給水給湯用ホースに係るものである。
【背景技術】
【０００２】
近年、台所や洗面台、トイレの貯水タンク、その他の給水又は給湯用の配管に使用されるホースには、内層をゴム又は熱可塑性エラストマーで構成し、その上側にステンレス鋼線やナイロン、ポリエステル繊維等の補強層を編み組みした可撓性のホースが使用されている。そして、このようなホースは両端に継手金具が加締め締結されてホース型可撓伸縮継手と呼ばれ、様々な配管工事に供されている。
【０００３】
しかしながら、配管工事のスペースは比較的狭く、使用するホースの長さは短いため、施工時にホース型可撓伸縮継手が無理に曲げられたり、周囲の部材に接触して外力が加わったりすることが多い。
【０００４】
そのため、ホースが折れ曲がってその部分が偏平になるキンクが発生してしまうことがあった。このキンクが生じると、通水路が塞がれて通水量が減ったり、極端な場合、通水そのものができなくなる場合があった。
【０００５】
特に、塩素を含む水道水からホース型可撓伸縮継手を保護するため、ホースの内層をポリブテン樹脂や架橋ポリエチレン樹脂等で構成した場合には、硬度が高いために曲がりにくく、キンクし易くなることから、ホースの改良が望まれていた。
【０００６】
かかる課題を解決するために特許文献１が提案されている。
【０００７】
【特許文献１】特開２００３−３４３７７３号公報
【０００８】
特許文献１にて提案の給水又は給湯用の配管に用いられるホースは、少なくとも水又は湯と接する内層１と、内層１の上側にスパイラル状に巻き付けられた繊維糸からなる内側補強層２と、このスパイラルピッチを保つために巻き付けられる押え糸３と、更にこの上側に編み組みされた金属硬線からなる外側補強層４と、好ましくは更に外被層５にて覆った給水給湯用ホースである。
【０００９】
ここで得られた給水給湯用ホ−スは、安定した性状をもたらすものであり、曲げやすく、しかもキンクの発生も少ないという大きな特徴を有するものである。
【００１０】
かかる技術は給水給湯用ホ−スとして極めて優れているが、これとても改良が要請されている点がある。即ち、内側補強層を構成するに際しては、繊維糸をスパイラル状に巻き付ける必要があるが、このスパイラル状に巻き付けるための専用の機械が必要になるため、ホ−スの値段としては高価なものとなってしまう点である。
【発明の開示】
【発明が解決しようとする課題】
【００１１】
そこで本発明は、狭い配管スペースにも施工できるように、小さい半径であっても容易に曲げることができ、しかもキンクの発生がない安価な給水給湯用ホースを提供することを目的とするものである。
【課題を解決するための手段】
【００１２】
本発明は、以上の課題を解決するためになされたものであって、その要旨は、給水又は給湯用の配管に用いられるホースであって、弾性を有するチューブからなる内層１と、内層１の上側を帯状繊維にて筒状に覆って内側補強層２とし、この上側を編み組みされた金属硬線からなる外側補強層４を形成した給水給湯用ホースに係るものである。
【発明の効果】
【００１３】
本発明の給水給湯用ホ−スは、以上の構成を有するものであり、特に言えば、内側補強層２を帯状繊維を筒状にして覆った点にあり、これによってスパイラル専用機を不要とし、かつ、吹き抜け現象もない優れた給水給湯用ホ−スを提供できたものである。
【発明を実施するための最良の形態】
【００１４】
従来の給水給湯用ホ−スにあって、内側補強層がスパイラル状に巻き付けたものであるが、スパイラルのピッチがずれないように精確に巻き上げる必要がある。ピッチがずれて隙間があると、内部流体の吹き抜けが生じてしまうという致命的な欠点がある。従って、繊維を精確に巻き付けるための専用マシンが必要となり、更には、巻き付けられたスパイラルのピッチを維持するため、この上から押え糸を更に巻き付ける必要があった。
【００１５】
何故なら、繊維糸を編み組みした場合、密に編もうとすると内側補強層が厚くなり、ホース全体の肉厚が厚くなってしまう。逆に、厚くなるのを防ぐため粗に編むと、内圧に耐えきれずに外側補強層の金属硬線の隙間で内層が破裂する可能性があるからである。
【００１６】
本発明は、この従来の技術の欠点を改良したものであり、弾性チュ−ブからなる内層１を補強する内側補強層２として、織物、編物をもって構成した帯状繊維にて筒状にして覆った点が最大の特徴である。こうすることによって、内層１が完全に補強されることとなったものである。かかる筒状は特に限定はなく、例えば内層１の表面を帯状繊維にて巻き付けて構成することも含まれる。
【００１７】
本発明の給水給湯用ホースのチュ−ブ内層は、ゴム又は熱可塑性エラストマーが好適に使用される。特に、水道水を通水する場合には、水道水中に含まれる塩素の対策として、少なくとも水又は湯と接する内層の最内面をポリブテン樹脂又は架橋ポリエチレン樹脂のいずれかで構成することが好ましい。
【００１８】
この内層は単層構造でも積層構造でもよい。即ち、ゴム、ポリブテン樹脂、架橋ポリエチレン樹脂等の単体から内層を構成することもできるし、水道水中の塩素対策として、ゴム等の内面にフッ素樹脂をコーティングした積層構造としてもよい。
【００１９】
内層としてポリブテン樹脂や架橋ポリエチレン樹脂を用いた場合には、内層が硬くなって曲がりにくく、キンクも発生し易くなることを考慮して積層構造としてもよい。即ち、水又は湯と接する内層の最内面のみをポリブテン樹脂又は架橋ポリエチレン樹脂の薄層（肉厚０．１５ｍｍ〜０．５ｍｍ）とすることで曲げ剛性を低くしつつ、給水給湯用ホースの内層として一般的に必要な肉厚（１．０ｍｍ〜３．０ｍｍ程度）を積層構造で確保するのである。この場合、ポリブテン樹脂又は架橋ポリエチレン樹脂の外面に柔軟性のあるポリオレフィン系エラストマーを積層した２層構造とすることが好ましい。
【００２０】
内側補強層を構成する筒体は、繊維糸を織物とし或いは編物として帯状を形成しこれを筒体としたものである。即ち、内側補強層として筒状の繊維糸を使用するのはホースの柔軟性を確保しつつ金属硬線の隙間からの吹き抜けを防止するためである。
【００２１】
内側補強層を構成する繊維糸としては、ポリエステル、ナイロン等の合成繊維やコットン等の植物繊維を使用することができる。この繊維糸は、ホースの肉厚をできるだけ増加させないようにし、従来のホースと同等の取り扱い性を確保するため、太さを５０〜２５００デニールとすることが好ましい。
【００２２】
内層１と内側補強層とは接着されても非接着であってもよい。即ち、キンク防止を重視すれば接着することが好ましく、柔軟性を重視すれば非接着が好ましい。
【００２３】
次いで、外側補強層であるが、本発明は編み組みされた金属硬線からなる。ここで、金属硬線に関し、ピアノ線はＪＩＳ・Ｇ−３５０２に、硬鋼線材はＪＩＳ・Ｇ−３５０６に、ばね用ステンレス鋼線はＪＩＳ・Ｇ−４３１４にそれぞれ規定されており、金属硬線を使用するのは、キンクの発生を効果的に防止し、通水時のホースの耐圧力を確保するためである。即ち、金属硬線の剛性によって、たとえホースが小さい半径に曲げられたとしてもその部分が偏平にならないようにし、かつ、給水給湯用ホースとして一般的なホース内径（８〜１２ｍｍφ）で内圧によって補強層が破断しないようにしているのである。
【００２４】
このような意味で軟線は不適当であることから本発明では金属硬線を使用し、具体的にはばね用鋼線や、給水給湯用途における腐食の防止を考慮したステンレス硬線が好適に使用できる。
【００２５】
外側補強層を構成する金属硬線の引張強さは、１５００〜３０００Ｎ／ｍｍ２ が好ましい。また、金属硬線の線径は、０．１５〜０．５ｍｍが好ましい。金属硬線の種類にもよるが、引張強さが１５００Ｎ／ｍｍ２ 未満であったり、線径が０．１５ｍｍ未満であると、剛性が低くなってホースの折れ曲がりに対抗する力が弱くなるからである。一方、引張強さが３０００Ｎ／ｍｍ２ を越えるものであったり、線径が０．５ｍｍを越えるものであると、その剛性によって逆にホースの柔軟性が損なわれるからである。
【００２６】
又、金属硬線は編み組みする必要がある。何故なら、金属硬線をスパイラル状に巻き付けるとピッチが粗密になってしまうからである。即ち、ホースの柔軟性を考慮すると金属硬線を密に巻き付けることは得策でないため、金属硬線はスパイラル状に粗く巻き付けられることになる。すると、製造時に金属硬線が露出した状態でドラムに巻き取られた際に、隣接するホース間で金属硬線が擦れ合って位置ずれを起こし、生産性を悪化させてしまうのである。
【００２７】
従って、本発明の給水給湯用ホースでは金属硬線を編み組みするのであるが、編み組み密度は、１５〜５５％とすることが好ましい。編み組み密度が１５％より粗であるとキンクが発生し易くなるからであり、５５％より密であるとホースの剛性が高くなって柔軟性が損なわれるからである。
【００２８】
更に、ホースの曲げ剛性や耐キンク性等には、金属硬線の編み上げ角度も大きく影響する。即ち、編み上げ角度が大きいと曲がり易くはなるが、キンクしない程度に密に巻くと編み上げ速度が低下して生産性が悪化してしまう。そこで、曲げ剛性や耐キンク性及び生産性のバランスを考えれば、編み上げ角度は５４〜７０°とすることが好ましい。
【００２９】
尚、バネ用鋼線であっても、その上側に樹脂からなる被覆層を設ければ、腐食の防止になる。また、ステンレス硬線であっても、外傷防止の観点から被覆層を設けることが好ましい。この被覆層を構成する樹脂としては、例えばスチレン系熱可塑性樹脂若しくはウレタン樹脂が好適である。
【００３０】
以上述べたように、曲げ剛性や耐キンク性及び生産性等の観点から、本発明のホースにおける外側補強層は金属硬線の編み組み構造としているが、編み組み密度がある程度粗になると、新たに水や湯の吹き抜けが問題となる。即ち、補強層の隙間で、特に給湯時に熱可塑性エラストマーの内層が破れ易くなり、湯が吹き出すことが懸念されるのである。
【００３１】
そこで、本発明の給水給湯用ホースでは、補強層を内側補強層と、その上側の外側補強層とに区分している。即ち、上記した金属硬線の編み組み補強層を外側補強層とし、金属硬線の隙間を埋めて吹き抜けを防止すべく、外側補強層の下側に別途、内側補強層を設けたものである。
【実施例】
【００３２】
以下、本発明の好ましい実施の形態の具体例を図面に基づいて説明する。
図１は、本発明の給水給湯用ホースの一例を示す一部断面斜視図である。即ち、給水給湯用ホースは、内側から順に、内層１、内側補強層２、外側補強層４、被覆層５を有するもので、ホース内径が１０ｍｍφ、ホース肉厚が１．７５ｍｍとなっている。
【００３３】
内層１は２層構造となっており、水又は湯と接する最内面１Ａが厚さ０．２５ｍｍのポリブテン樹脂であり、その外面１Ｂにポリオレフィン系エラストマーを積層して内層１の肉厚を１．０ｍｍとしている。従って、塩素を含む水道水に対応しつつ柔軟性も有している。
【００３４】
内層１の上側は、ポリエステル繊維糸からなる織物からなる筒状の内側補強層２となっている。繊維糸の太さは１１００デニールであり、撚り数は３回／１０ｃｍと少なくなっている。従って、内側補強層２が厚くならず、内層１の上側に巻き付けられると繊維糸が横に広がって偏平になり、薄く隙間のない内側補強層２となる。この例では内側補強層２と内層１とは接着されていない。
【００３５】
尚、内側補強層２は内層１を覆ってその縁部を突き合わせた構造としたものであるが、その縁部を重ね合わせた構造でもよく、或いは内層１を無端状に巻き掛けした構造であってもよい。
【００３６】
外側補強層４は、編み組みされたばね用ステンレス硬線からなる外側補強層４となっている。金属硬線の線径は０．２９ｍｍであり、編み組み密度は２０％であり、編み上げ角度は５６°である。この外側補強層４により、小さい半径に曲げてもキンクが発生することはない。
【００３７】
外側補強層４の上側には、更にスチレン系熱可塑性樹脂からなる外被層５が設けられている。この外被層５は外側補強層４を構成する金属硬線を保護し、金属硬線の外傷を防止している。
【産業上の利用可能性】
【００３８】
本発明の給水給湯用ホースは、弾性を有するチューブからなる内層と、内層の上側を覆う織物或いは編物からなる内側補強層と、内側補強層の上側に編み組みされた金属硬線からなる外側補強層とを有するので、小さい半径であっても容易に曲げることができ、キンクの発生もない。従って、狭い配管スペースにも施工でき、施工時の簡便さと耐久性の向上とが確保され、曲げ剛性や耐キンク性及び生産性のバランスに優れる。
【００３９】
特に、織物或いは編物からなる筒体を内側補強層としたことにより、スパイラル専用機は不要となり、勿論押え糸は不要となり、内側補強層の繊維の乱れが生ずることもなく、薄い肉厚で十分な耐圧力が確保され、柔軟性を有しつつ外力による折れ曲がりにも強く、必要な通水径を維持できる。
【図面の簡単な説明】
【００４０】
【図１】図１は、本発明の給水給湯用ホースの一例を示す一部断面斜視図である。
【符号の説明】
【００４１】
１‥内層
２‥内側補強層
４‥外側補強層
５‥外被層
【図１】
2006105162.tif 000003